(57)【要約】【課題】目視確認をすることなく照明装置12を容易に取り付けできる照明装置12の取付装置15を提供する。【解決手段】照明装置12を持ち上げて、照明装置12側の軸部74を位置決め金具84の位置決め嵌合孔88に挿入して照明装置12側を周方向に回動可能な状態で位置決めする。照明装置12をさらに持ち上げて、位置決め金具84を位置決め孔部57に挿入して照明装置12側を構造物14側に対して軸部74の周方向に位置決めする。この位置決めにより、各位置決めピン58が各取付孔91の挿通孔部95に嵌合する。この嵌合状態で、照明装置12側を構造物14側に対して周方向に回動させ、各位置決めピン58が各取付孔91の抜け止め孔部96に嵌合させて照明装置12側を構造物14側に対して支持する。【選択図】図１
2008218093.tif 000002
【特許請求の範囲】
【請求項１】
照明装置側と構造物側とで対をなして形成され、一方を他方に挿入することで構造物側に対して照明装置側を周方向に回動可能な状態で位置決めする第１位置決め手段と；
照明装置側と構造物側とで対をなして形成され、第１位置決め手段により照明装置側と構造物側とを位置決めした状態で一方を他方に挿入することで照明装置側と構造物側とを第１位置決め手段の周方向に位置決めするとともに、所定位置まで挿入した状態で照明装置側を構造物側に対して第１位置決め手段を中心として回動可能とする第２位置決め手段と；
照明装置側と構造物側とで対をなして形成され、第２位置決め手段により位置決めされた状態で互いに位置合わせされて嵌合され、照明装置側を構造物側に対して周方向に回動させた状態で照明装置側を構造物側に対して支持する支持手段と；
を具備していることを特徴とする照明装置の取付装置。
【請求項２】
照明装置の上部に取り付けられた取付部材と；
構造物に固定され、取付部材を介して照明装置を吊り下げ固定可能な固定部材と；を具備し、
第２位置決め手段は、
取付部材の上部に設けられた位置決め孔部と；
固定部材の下部に突設され、位置決め孔部に所定の方向でのみ嵌合するとともに、基端側に、取付部材側を周方向に回動させた際の位置決め孔部との干渉を避けるための切欠部を有する位置決め部材と；を備え、
第１位置決め手段は、
位置決め孔部から上方へと突設された軸部と；
位置決め部材に設けられ軸部が周方向に回動可能に挿入される位置決め嵌合孔と；を備え、
支持手段は、
取付部材の上部に突設され、先端側に、基端側よりも外形が大きく形成された拡大部を有する位置決めピンと；
位置決め部材を位置決め孔部に嵌合させた状態で位置決めピンの拡大部に対応する位置にて固定部材に設けられ、この拡大部が挿通される挿通孔部、および、この挿通孔部に対して軸部の周方向に連続し、位置決めピンの拡大部の外形よりも小さい形状の抜け止め孔部を有する取付孔と；を備えている
ことを特徴とする請求項１記載の照明装置の取付装置。
【請求項３】
上方へと付勢され、取付部材に一端が回動可能に軸支されているとともに、他端が取付部材の外方へと延設されたレバーと；
このレバーの上部に突設されたストッパと；
固定部材に設けられ、位置決め部材を位置決め孔部に嵌合させて軸部を中心として照明装置側を固定部材に対して回動させた状態でストッパが嵌合するストッパ嵌合孔と；
を具備していることを特徴とする請求項２記載の照明装置の取付装置。
【請求項４】
照明装置と；
この照明装置を構造物に吊り下げ固定する請求項１ないし３いずれか記載の照明装置の取付装置と；
この照明装置の取付装置の取付部材側と固定部材側とを連結するワイヤと；
照明装置に設けられ、ワイヤにより取付部材側と固定部材側とを連結した状態で、外部回路と照明装置側とを電気的に接続可能にする端子部と；
を具備していることを特徴とする照明システム。
【発明の詳細な説明】
【技術分野】
【０００１】
本発明は、照明装置を構造物に対して吊り下げ固定する照明装置の取付装置およびこれを備えた照明システムに関する。
【背景技術】
【０００２】
従来、演出空間用の照明装置としてプロジェクタを用いることがある。このようなプロジェクタは、天井などに吊り下げ固定され、チルト駆動、あるいはパン駆動などをすることで、画像の照射方向および位置などを任意に制御できる（例えば、特許文献１参照。）。
【０００３】
そして、このようなプロジェクタの吊り下げ固定の際には、開放天井に設けられた構造物であるグリッドパイプ、バトンなどに吊り下げ用の固定部材であるハンガー、もしくは、専用の吊り下げ金具を用いている。
【０００４】
その際は、手元を確認しながら照明装置を固定したり、落下防止対策などを施したりすることが可能である。
【０００５】
一方で、照明装置の吊り下げ固定高さは、運用時に人にぶつかったりしない充分な高さと演出の効果が生かせる高さとが必要となる。
【０００６】
そして、天井高の低い場所に照明装置を吊り下げ設置しようとする場合には、従来のハンガーを用いると照明装置の吊り下げ高さが低くなり、運用時の安全性確保が容易でなくなるだけでなく、演出効果を損なうおそれがある。
【０００７】
そこで、照明装置の吊り下げ高さを少しでも高くするように、天井に孔を設け、照明装置の一部を埋め込む施工方法が考えられる。
【特許文献１】特開平１０−３０１２０２号（第４−５頁、図１）
【発明の開示】
【発明が解決しようとする課題】
【０００８】
しかしながら、上述のように照明装置を天井に埋め込む場合などには、天井内の構造物などに対して照明装置を取り付ける際に、その取り付け部分を目視しながら作業することが容易でなく、照明装置の取り付けが容易でないという問題点を有している。
【０００９】
本発明は、このような点に鑑みなされたもので、目視確認をすることなく照明装置を容易に取り付けできる照明装置の取付装置および照明装置の取付方法を提供することを目的とする。
【課題を解決するための手段】
【００１０】
請求項１記載の照明装置の取付装置は、照明装置側と構造物側とで対をなして形成され、一方を他方に挿入することで構造物側に対して照明装置側を周方向に回動可能な状態で位置決めする第１位置決め手段と；照明装置側と構造物側とで対をなして形成され、第１位置決め手段により照明装置側と構造物側とを位置決めした状態で一方を他方に挿入することで照明装置側と構造物側とを第１位置決め手段の周方向に位置決めするとともに、所定位置まで挿入した状態で照明装置側を構造物側に対して第１位置決め手段を中心として回動可能とする第２位置決め手段と；照明装置側と構造物側とで対をなして形成され、第２位置決め手段により位置決めされた状態で互いに位置合わせされて嵌合され、照明装置側を構造物側に対して周方向に回動させた状態で照明装置側を構造物側に対して支持する支持手段と；を具備しているものである。
【００１１】
照明装置は、例えば、プロジェクタ、あるいはスポットライトなどが用いられる。
【００１２】
構造物は、例えば、天井、あるいは、天井内に設けられたパイプなどである。
【００１３】
第１位置決め手段は、例えば、軸部、および、この軸部が回動可能に挿入される位置決め嵌合孔などによる構成が用いられる。
【００１４】
第２位置決め手段は、例えば、四角形状の位置決め孔部、および、この位置決め孔部に所定に方向でのみ嵌合する位置決め部材などによる構成が用いられる。
【００１５】
支持手段は、例えば、先端側が基端側よりも大きい位置決めピンと、この位置決めピンの先端部が挿通される部分、および、この部分に連続し位置決めピンの先端側よりも小さい外形を有する部分とを備えた位置決め嵌合孔などによる構成が用いられている。
【００１６】
そして、第１位置決め手段の一方を他方に挿入することで照明装置側が周方向に回動可能な状態で位置決めされ、第２位置決め手段の一方を他方に挿入することで照明装置側が構造物側に対して第１位置決め手段の周方向に位置決めされ、この位置決めにより、支持手段が互いに位置合わせされて嵌合し、この嵌合状態で、照明装置側を構造物側に対して周方向に回動させると、支持手段により照明装置側が構造物側に対して支持されることで、照明装置側と構造物側との取付部分を目視することなく照明装置を構造物側に容易に取り付け可能になる。
【００１７】
請求項２記載の照明装置の取付装置は、請求項１記載の照明装置の取付装置において、照明装置の上部に取り付けられた取付部材と；構造物に固定され、取付部材を介して照明装置を吊り下げ固定可能な固定部材と；を具備し、第２位置決め手段は、取付部材の上部に設けられた位置決め孔部と；固定部材の下部に突設され、位置決め孔部に所定の方向でのみ嵌合するとともに、基端側に、取付部材側を周方向に回動させた際の位置決め孔部との干渉を避けるための切欠部を有する位置決め部材と；を備え、第１位置決め手段は、位置決め孔部から上方へと突設された軸部と；位置決め部材に設けられ軸部が周方向に回動可能に挿入される位置決め嵌合孔と；を備え、支持手段は、取付部材の上部に突設され、先端側に、基端側よりも外形が大きく形成された拡大部を有する位置決めピンと；位置決め部材を位置決め孔部に嵌合させた状態で位置決めピンの拡大部に対応する位置にて固定部材に設けられ、この拡大部が挿通される挿通孔部、および、この挿通孔部に対して軸部の周方向に連続し、位置決めピンの拡大部の外形よりも小さい形状の抜け止め孔部を有する取付孔と；を備えているものである。
【００１８】
取付部材は、例えば、照明装置の上部に一体的に取り付けられる取付板などが用いられる。
【００１９】
固定部材は、例えば、構造物に取り付けられる固定金具などが用いられる。
【００２０】
位置決め孔部は、例えば、取付部材の中央部などに設けられた四角形状の凹部などである。
【００２１】
位置決め部材は、例えば、平面視で四角形状のコ字状金具などが用いられており、そのため、この位置決め部材は、位置決め孔部に対して所定の方向でのみ嵌合可能である。
【００２２】
軸部は、例えば、円柱状に形成され、照明装置側を回転させる際の回転軸となるものである。
【００２３】
位置決め嵌合孔は、例えば、軸部を挿入する丸孔などである。
【００２４】
位置決めピンは、例えば、基端側が軸状に形成され、先端側に拡径された拡大部を有するだぼなどが用いられる。
【００２５】
取付孔は、例えば、位置決めピンの拡大部が挿通される挿通孔部が大径に形成され、この挿通孔部に連続して小径の抜け止め孔部が形成された、いわゆるだるま孔などである。
【００２６】
そして、第２位置決め手段を、取付部材の上部に設けた位置決め孔部と、この位置決め孔部に所定の方向でのみ嵌合するとともに基端側に切欠部を設けた位置決め部材とで構成し、第１位置決め手段を、位置決め孔部に突設した軸部と、位置決め部材に設けた位置決め嵌合孔とで構成し、かつ、支持手段を、基端側よりも外形が大きく形成された拡大部を先端側に有し取付部材の上部に突設した位置決めピンと、拡大部が挿通される挿通孔部およびこの挿通孔部に対して軸部の周方向に連続し位置決めピンの拡大部の外形よりも小さい形状の抜け止め孔部を有する取付孔とで構成することで、第１位置決め手段、第２位置決め手段および支持手段が簡単に構成される。
【００２７】
請求項３記載の照明装置の取付装置は、請求項２記載の照明装置の取付装置において、上方へと付勢され、取付部材に一端が回動可能に軸支されているとともに、他端が取付部材の外方へと延設されたレバーと；このレバーの上部に突設されたストッパと；固定部材に設けられ、位置決め部材を位置決め孔部に嵌合させて軸部を中心として照明装置側を固定部材に対して回動させた状態でストッパが嵌合するストッパ嵌合孔と；を具備しているものである。
【００２８】
レバーは、例えば、ばねなどの付勢手段により上方へと付勢され、取付部材に一端が回動可能に軸支されており、この取付部材の外方へと延設された他端を付勢に抗して照明装置側に押し下げ可能に構成されている。
【００２９】
ストッパは、例えば、軸部の周方向の複数箇所でストッパ嵌合孔に嵌合することにより照明装置側を回り止めする軸状のものである。
【００３０】
ストッパ嵌合孔は、例えば、ストッパの先端が嵌合する孔部である。
【００３１】
そして、レバーとともに上方に付勢されたストッパが、照明装置側を固定部材に対して回動させた状態でストッパ嵌合孔に嵌合されることで、照明装置側が容易かつ確実に回り止めされるとともに、照明装置側を取り外す際には、レバーを押し下げることでストッパによる回り止めが容易に解除され、照明装置側を容易に取り外し可能となる。
【００３２】
請求項４記載の照明システムは、照明装置と；この照明装置を構造物に吊り下げ固定する請求項１ないし３いずれか記載の照明装置の取付装置と；この照明装置の取付装置の取付部材側と固定部材側とを連結するワイヤと；照明装置に設けられ、ワイヤにより取付部材側と固定部材側とを連結した状態で、外部回路と照明装置側とを電気的に接続可能にする端子部と；を具備しているものである。
【００３３】
端子部は、例えば、プロジェクタなどの照明装置側に接続される電源、ビデオ入力、信号入出力などの各種端子を有している。
【００３４】
ワイヤは、照明装置側の落下防止用のものである。
【００３５】
そして、ワイヤにより取付部材側と固定部材側とを連結した状態で、外部回路と照明装置側とを、端子部を介して電気的に接続可能とすることで、照明装置の取り付けの際の作業性が良好になる。
【発明の効果】
【００３６】
請求項１記載の照明装置の取付装置によれば、第１位置決め手段の一方を他方に挿入することで照明装置側を周方向に回動可能な状態で位置決めし、さらに第２位置決め手段の一方を他方に挿入して照明装置側を構造物側に対して第１位置決め手段の周方向に位置決めすると、この位置決めにより、支持手段が互いに位置合わせされて嵌合し、この嵌合状態で、照明装置側を構造物側に対して周方向に回動させると、支持手段が照明装置側を構造物側に対して支持することで、照明装置側と構造物側との取付部分を目視することなく照明装置を構造物側に容易に取り付けできる。
【００３７】
請求項２記載の照明装置の取付装置によれば、請求項１記載の照明装置の取付装置の効果に加えて、第２位置決め手段を、取付部材の上部に設けた位置決め孔部と、この位置決め孔部に所定の方向でのみ嵌合するとともに基端側に切欠部を設けた位置決め部材とで構成し、第１位置決め手段を、位置決め孔部に突設した軸部と、位置決め部材に設けた位置決め嵌合孔とで構成し、かつ、支持手段を、基端側よりも外形が大きく形成された拡大部を先端側に有し取付部材の上部に突設した位置決めピンと、拡大部が挿通される挿通孔部およびこの挿通孔部に対して軸部の周方向に連続し位置決めピンの拡大部の外形よりも小さい形状の抜け止め孔部を有する取付孔とで構成することで、第１位置決め手段、第２位置決め手段および支持手段を簡単に構成できる。
【００３８】
請求項３記載の照明装置の取付装置によれば、請求項２記載の照明装置の取付装置の効果に加えて、レバーとともに上方に付勢されたストッパが、照明装置側を固定部材に対して回動させることでストッパ嵌合孔に嵌合されることにより、照明装置側を容易かつ確実に回り止めできるとともに、照明装置側を取り外す際には、レバーを押し下げることでストッパによる回り止めが容易に解除され、照明装置側を容易に取り外しできる。
【００３９】
請求項４記載の照明システムによれば、ワイヤにより取付部材側と固定部材側とを連結した状態で、外部回路と照明装置側とを、端子部を介して電気的に接続可能とすることで、照明装置の取り付けの際の作業性が良好になる。
【発明を実施するための最良の形態】
【００４０】
以下、本発明の一実施の形態を図面を参照して説明する。
【００４１】
図１は照明システムの照明装置の構造物側への取付状態を示す平面図であり、図２は照明装置の構造物側への取付状態を示す正面図であり、図３は照明装置の構造物側への取付状態を示す側面図であり、図４は照明装置のワイヤ吊り下げ状態を示す正面図であり、図５は照明装置のワイヤ吊り下げ状態を示す側面図であり、図６は照明装置の第１位置決め状態を示す正面図であり、図７は照明装置の第１位置決め状態を示す側面図であり、図８は照明装置の第２位置決め状態を示す平面図であり、図９は照明装置の第２位置決め状態を示す正面図であり、図１０は照明装置の第２位置決め状態を示す側面図である。
【００４２】
図１ないし図３において、11は演出空間用の照明システムであり、この照明システム11は、照明装置12を、天井を構成する天井板13の内部に設けられた構造物14に対して、取付装置15により吊り下げ固定するものである。
【００４３】
照明装置12は、例えば、プロジェクタ、あるいは、ムービングライトやリモコンライトを含むスポットライトなどであり、本実施の形態では、以下、プロジェクタとして説明する。
【００４４】
そして、この照明装置12は、照明装置本体である図示しないプロジェクタ本体を収容する筐体22を備え、この筐体22の上部に、円形固定台座である台座部23が設けられ、この台座部23に対して筐体22が回動可能に接続されている。
【００４５】
プロジェクタ本体は、例えば平坦な直方体状の図示しないプロジェクタ筐体内部に、図示しない光学系や液晶パネルなどが配設され、入力された映像信号を、前部に設けられた投射レンズ部Ｌからスクリーンなどに照射させるためのものである。
【００４６】
筐体22は、プロジェクタ本体を内部に収容する略円筒状の筐体本体25を有し、この筐体本体25の軸方向の両端部が、筐体支持部としての筐体軸支部26により軸支されている。そして、この筐体軸支部26の上端は、閉塞板部28により閉塞されている。
【００４７】
筐体本体25は、前面側に、プロジェクタ本体の投射レンズ部Ｌが露出する丸孔状の開口31が軸方向の一端側寄りに形成され、プロジェクタ本体の駆動によりこのプロジェクタ本体から排気される排気風を筐体22の外部へと排気する複数の排気口32が規則的に開口形成され、さらに、開口31の上方に、プロジェクタ本体からのオートフォーカス用の赤外線を照射する赤外線照射部33が形成され、かつ、背面側の開口31と対向する位置に、プロジェクタ本体などの冷却用の外気を吸い込む図示しない吸気口が形成されている。
【００４８】
また、筐体軸支部26は、筐体本体25の両端に位置する軸支部本体34，34と、これら軸支部本体34，34の前側および後側を連結する連結部35，35とを備えている。そして、筐体軸支部26は、筐体本体25内部に収容された図示しないモータなどの駆動手段により筐体本体25が相対的に回動すなわちチルト駆動されるように筐体本体25を軸支する図示しない支持腕を収容している。
【００４９】
また、閉塞板部28は、隙間Ｇを介して台座部23に対向しているとともに、図示しない開口部が開口形成されている。
【００５０】
また、台座部23は、環状の枠体である外周部36を備え、この外周部36の上端部が、天板部37により閉塞され、平面視で円形状に形成されている。また、台座部23は、平面視で筐体22以上の大きさの外郭を有している。換言すれば、筐体22には、平面視で台座部23の外方へと突出する部分がない。さらに、この台座部23の筐体22に対向する下部は、開口38となっている。そして、この台座部23の内部には、例えばモータなどの図示しない駆動手段が設けられ、この駆動手段により、筐体22が周方向に回動すなわちパン駆動されるように構成されている。
【００５１】
したがって、プロジェクタ本体は、筐体軸支部26および台座部23により可動的に保持され、画像の照射方向および位置などを任意に制御可能となっている。
【００５２】
外周部36は、前後に位置する区画部41，41と、これら区画部41，41の両側間に円弧状に位置する外郭部42，42とを有し、平面視で円形状に形成されている。
【００５３】
各区画部41は、上下方向に沿う平面状の垂直面41aと、この垂直面41aの下部から外周部36の外方へと略水平状に沿う平面状の水平面41bとにより側面視で略Ｌ字状に形成され、天板部37に対して下方に凹状に窪んだ空間部45をそれぞれ区画している。そして、前側に位置する区画部41の垂直面41aには、空間部45内に位置して端子部46が形成されている。この端子部46は、プロジェクタ本体側と外部回路とを電気的に接続するためのもので、例えばビデオ入力用端子46a、入出力用の信号端子46b，46cおよび電源端子46dなどが並設されているとともに、図示しないヒューズを取り付けるヒューズ用端子46eが設けられており、各端子46a〜46dには、ケーブルＣなどが接続される。
【００５４】
また、天井板13には、照明装置12を埋め込む埋込孔48が穿設されている。この埋込孔48は、筐体22の外形である台座部23の外周部36の外周に対して所定の隙間、例えば、３０ｍｍ程度の隙間を形成する大きさの円形状に形成されている。
【００５５】
また、構造物14は、例えば、吊りパイプなどであり、埋込孔48に対向する位置に配設され、天井板13の上面に対して上方に離間されている。
【００５６】
そして、取付装置15は、照明装置12の台座部23の天板部37に取り付けられた取付部材としての器具取付板51と、構造物14の下部に固定された固定部材としての固定金具52とを備えている。
【００５７】
器具取付板51は、四角形状に形成された取付板本体55の互いに対向する前後両端が下方へと屈曲され、この屈曲された端部に、フランジ部56，56が前後方向へとそれぞれ突設されている。したがって、取付板本体55は、天板部37に対して上方に離間されている。そして、取付板本体55の中央部には、角孔状の位置決め孔部57が下方へと窪んで設けられているとともに、四隅の近傍に、それぞれ位置決めピン58が上方に向けて突設されている。
【００５８】
また、この取付板本体55には、落下防止用のワイヤ61の一端のフック61aを係合するワイヤ係合体であるフック引っ掛け金具62が位置決め孔部57の側方に取り付けられている。さらに、この取付板本体55の下部には、位置決め孔部57の前後の近傍に、天板部37側へとブラケット64，64が突設され、これらブラケット64，64には、一対のレバーとしてのストッパ解除レバー65，65が取り付けられている。
【００５９】
ここで、各ストッパ解除レバー65は、長手状に形成され、一端が各ブラケット64に回動可能に軸支されているとともに、他端が器具取付板51の外方へと延設されて、取付板本体55に穿設された図示しない各孔部に挿通されて、この取付板本体55の外部へと突出している。また、各ストッパ解除レバー65の他端は、下方へと屈曲されて各空間部45内にそれぞれ位置している。さらに、各ストッパ解除レバー65の下部には、天板部37との間に付勢手段としてのストッパばね68が配設されている。このため、各ストッパ解除レバー65は上方へと付勢されている。そして、各ストッパ解除レバー65の上部には、照明装置12の回り止め用のストッパとしてのストッパピン69がそれぞれ上方へと突設されている。各ストッパピン69は、軸状に形成された基端側であるストッパピン本体71の上部に、このストッパピン本体71よりも外径が大きいピン拡大部72が設けられており、このピン拡大部72の上端が、上方に向けて縮径されている。
【００６０】
また、位置決め孔部57の中央部には、軸部74が上方へと突設されている。この軸部74は、略円柱状に形成され、照明装置12を構造物14に取り付ける際の回転軸となるものであり、先端側である上端側が取付板本体55よりも上方へと突出しており、この取付板本体55よりも上側に位置する上端部が、上方へ向けて縮径されている。
【００６１】
また、位置決めピン58は、軸状に形成された基端側であるピン本体部76の先端部に、このピン本体部76よりも外径が大きい拡大部77が設けられただぼ状に形成されており、かつ、この拡大部77の下面に、この拡大部77よりも径小の段差部78が設けられている。
【００６２】
一方、固定金具52は、構造物14に沿って長手状に形成された平板状の金具本体81と、この金具本体81の下方へと屈曲された両側から略水平フランジ状に延設された固定フランジ部82，82とを有し、金具本体81の長手方向の両端部近傍にて、構造物14の上部に亘ってＵボルト83，83が締着されることで、構造物14に固定されている。また、金具本体81の中央部には、位置決め部材としての位置決め金具84が取り付けられている。この位置決め金具84と位置決め孔部57とにより、照明装置12側と構造物14側とを周方向に位置決めするとともに、照明装置12側を構造物14側に対して周方向に回動可能とする第２位置決め手段としての周方向位置決め手段85が構成されている。さらに、金具本体81には、ワイヤ61の他端のフック61aを係合するワイヤ係合体であるフック引っ掛け金具86が取り付けられている。
【００６３】
ここで、位置決め金具84は、例えば位置決め孔部57に嵌合する平面視四角形状に形成されたコ字状の金具であり、このコ字状の両端が金具本体81に固定されてこの金具本体81および固定フランジ部82，82よりも下方へと突出している。また、この位置決め金具84の基端側の四隅には、照明装置12の取り付けの際に軸部74を中心として照明装置12を回動させる際の干渉防止用の切欠部87がそれぞれ形成されている。すなわち、この切欠部87は、平面視での位置決め金具84の中心位置からの距離が、この中心位置から位置決め孔部57の開口縁までの最短距離以下の距離となるように凹状に切り欠き形成されている。また、位置決め金具84の中央部には、軸部74が周方向に回動可能となるように挿入される丸孔状の位置決め嵌合孔88が穿設されている。そして、この位置決め嵌合孔88と軸部74とにより、構造物14側に対して照明装置12側を周方向に回動可能な状態で位置決めする第１位置決め手段としての上下方向位置決め手段89が構成されている。
【００６４】
また、固定フランジ部82のそれぞれには、位置決めピン58，58のそれぞれが嵌合するだぼ挿入孔である取付孔91，91が長手方向の両端近傍に設けられているとともに、これら取付孔91，91の間の位置に、ストッパピン69が嵌合するストッパ嵌合孔92が穿設されている。したがって、取付孔91は、位置決め金具84全体で４つ設けられ、ストッパ嵌合孔92は、位置決め金具84全体で２つ設けられている。そして、各取付孔91と各位置決めピン58とにより、照明装置12側を構造物14側に対して周方向に回動させた状態で照明装置12側を構造物14側に対して支持する支持手段93が構成されている。
【００６５】
また、各取付孔91は、位置決めピン58の拡大部77が挿入可能な挿通孔部95と、この挿通孔部95に対して軸部74の周方向に沿って連続した抜け止め孔部96とを有する、いわゆるだるま孔状に形成されている。また、各取付孔91は、軸部74を中心とする同一円周上に位置している。
【００６６】
各挿通孔部95は、位置決め金具84を位置決め孔部57に嵌合させた状態で各位置決めピン58の拡大部77に対応する位置に設けられている。
【００６７】
また、各抜け止め孔部96は、位置決めピン58のピン本体部76よりも大きく、拡大部77よりも小さく、かつ、段差部78が嵌合する径寸法に形成されている。また、各抜け止め孔部96の中心は、これら抜け止め孔部96が連続する各挿通孔部95の中心に対して、軸部74の中心となす角度が、例えば約８°に設定されている。そして、各抜け止め孔部96は、各挿通孔部95に対して、図１に示す時計回り側に連続している。
【００６８】
また、ストッパ嵌合孔92は、ストッパピン69のピン拡大部72の最大外径よりも小さく、かつ、ピン拡大部72の上端の最小外径よりも大きい径寸法を有する丸孔状に形成されている。
【００６９】
次に、上記一実施の形態の取付装置15による照明装置12の取付方法を説明する。
【００７０】
まず、図４および図５に示すように、Ｕボルト83により構造物14に固定した固定金具52のフック引っ掛け金具86と、照明装置12の器具取付板51のフック引っ掛け金具62とにワイヤ61のフック61aをそれぞれ係合させて、照明装置12を、固定金具52を介して構造物14に吊り下げる(ワイヤ吊り下げ工程)。
【００７１】
この状態で、端子部46の各端子46a〜46dに、天井板13の内方から導出したケーブルＣを接続する(ケーブル接続工程)。
【００７２】
次いで、作業者は、図６および図７に示すように、連結部35，35とストッパ解除レバー65，65とを挟むように、すなわち、ストッパ解除レバー65，65をストッパばね68，68の付勢に抗して下方に押し下げるように掴んだ状態で照明装置12を持ち上げ、上下方向位置決め手段89の一方である軸部74を、他方である位置決め嵌合孔88に挿入して照明装置12側を周方向に回動可能な状態で位置決めする(第１位置決め工程)。
【００７３】
このとき、下側から照明装置12を持ち上げているため手探り状態で軸部74を位置決め嵌合孔88に挿入することになるが、軸部74の上端部を径小としたことで、位置決め嵌合孔88に対して容易に挿入可能である。
【００７４】
さらに、作業者は、図８ないし図１０に示すように、照明装置12をさらに持ち上げ、周方向位置決め手段85の一方である位置決め金具84が他方である位置決め孔部57に挿入されるように軸部74を中心として照明装置12を回転させ、位置決め金具84と位置決め孔部57とが合った位置で照明装置12をさらに持ち上げて、照明装置12側を構造物14側に対して軸部74の周方向に位置決めする(第２位置決め工程)。
【００７５】
この位置決めにより、照明装置12が固定金具52に対して所定方向で取り付けられ、同時に、支持手段93の各位置決めピン58と各取付孔91の挿通孔部95とが互いに位置合わせされて嵌合する。
【００７６】
この後、作業者は、図１ないし図３に示すように、照明装置12を、軸部74を中心として周方向、例えば図１に示す時計回り方向(下側の作業者にとって反時計回り方向)に回動させて、支持手段93の各位置決めピン58を各取付孔91内で周方向へと摺動させて抜け止め孔部96に嵌合させると同時に、ストッパ解除レバー65，65を緩めて、ストッパピン69，69の上端がストッパ嵌合孔92，92に嵌合するまで照明装置12を回転させた後、ストッパ解除レバー65，65を完全に解除し、照明装置12を持ち上げる力を緩める(回動工程)。
【００７７】
この結果、照明装置12の自重により、各位置決めピン58の段差部78が各取付孔91の抜け止め孔部96に嵌合して照明装置12側が構造物14側に対して吊り下げ固定される。
【００７８】
この後、照明装置12に対して、回動方向に外力を加え、照明装置12の取り付けおよび回り止めが確実であるかどうかを確認する。
【００７９】
以上のように、上記一実施の形態では、照明装置12側と構造物14側との取付部分を目視せずとも、照明装置12を持ち上げて上下方向位置決め手段89により照明装置12側を構造物14側に対して位置決めし、照明装置12を周方向に若干動かしながら持ち上げるだけで、周方向位置決め手段85により照明装置12の構造物14側に対する方向が決定されるとともに、各位置決めピン58が各取付孔91の挿通孔部95に挿通されるので、この状態で照明装置12を軸部74の周方向に回動させるだけで、照明装置12が構造物14側に対して吊り下げ固定されるから、照明装置12を構造物14側に対して、容易に取り付けできる。
【００８０】
また、周方向位置決め手段85を、器具取付板51の上部に設けた位置決め孔部57と、この位置決め孔部57に所定の方向でのみ嵌合するとともに基端側に切欠部87を設けた位置決め金具84とで構成し、上下方向位置決め手段89を、位置決め孔部57に突設した軸部74と、位置決め金具84に設けた位置決め嵌合孔88とで構成し、かつ、支持手段93を、基端側よりも外形が大きく形成された拡大部77を先端側に有し器具取付板51の上部に突設した位置決めピン58と、拡大部77が挿通される挿通孔部95およびこの挿通孔部95に対して軸部74の周方向に連続し位置決めピン58の拡大部77の外形よりも小さい形状の抜け止め孔部96を有する取付孔91とで構成することで、上下方向位置決め手段89、周方向位置決め手段85および支持手段93を簡単に構成できる。
【００８１】
さらに、ストッパ解除レバー65とともに上方に付勢されたストッパピン69が、照明装置12側を固定金具52に対して回動させることでストッパ嵌合孔92に嵌合されることにより、照明装置12側を容易かつ確実に回り止めできるとともに、照明装置12のメンテナンスなどのために照明装置12側を取り外す際には、ストッパ解除レバー65を押し下げることでストッパピン69による回り止めが容易に解除され、照明装置12側を容易に取り外しできる。また、このように照明装置12の構造物14に対する吊り下げ固定を解除した状態でも、照明装置12はワイヤ61により吊り下げられているので、照明装置12の落下などを確実に防止できる。
【００８２】
また、ワイヤ61により器具取付板51側と固定金具52側とを連結した状態で、外部回路と照明装置12側とを、端子部46の各端子46a〜46dを介して電気的に接続可能とすることで、照明装置12の取り付けの際の作業性が良好になる。
【００８３】
特に、天井高が低い場所に照明装置12を吊り下げ固定する場合には、吊り下げ高さを確保するために、上記のように埋込孔48に照明装置12の一部を埋め込むように取り付けるため、照明装置12と構造物14側との取付部分が埋込孔48の内方に位置するから、下側から照明装置12を取り付ける際に、この取付部分の目視が容易でなく、また、目視を容易にするために埋込孔48を大きくしたりしなければならないので、上記一実施の形態のように取付部分を目視することなく照明装置12を構造物14側に取り付け可能とすることで、このような天井高が低い場所でも、作業性が良好になるとともに、最小限の大きさの埋込孔48で、照明装置12の取り付け後の外観向上を図りつつ、照明装置12の台座部23との隙間を利用して照明装置12の確実な取り付け施工、外れ防止および取り外しのための外れ防止解除ができる。
【００８４】
なお、上記一実施の形態において、照明装置12を吊り下げ固定する構造物14としては、パイプなどの他にも、天井板13などでもよい。
【００８５】
また、上下方向位置決め手段89、周方向位置決め手段85および支持手段93は、それぞれの作用を実質的に奏するものであれば、例えば構造物14側と照明装置12側とを入れ換えるなど、任意の構成とすることが可能である。
【図面の簡単な説明】
【００８６】
【図１】本発明の一実施の形態の照明システムの照明装置の構造物側への取付状態を示す平面図である。
【図２】同上照明装置の構造物側への取付状態を示す正面図である。
【図３】同上照明装置の構造物側への取付状態を示す側面図である。
【図４】同上照明装置のワイヤ吊り下げ状態を示す正面図である。
【図５】同上照明装置のワイヤ吊り下げ状態を示す側面図である。
【図６】同上照明装置の第１位置決め状態を示す正面図である。
【図７】同上照明装置の第１位置決め状態を示す側面図である。
【図８】同上照明装置の第２位置決め状態を示す平面図である。
【図９】同上照明装置の第２位置決め状態を示す正面図である。
【図１０】同上照明装置の第２位置決め状態を示す側面図である。
【符号の説明】
【００８７】
11    照明システム
12    照明装置
14    構造物
15    取付装置
46    端子部
51    取付部材としての器具取付板
52    固定部材としての固定金具
57    位置決め孔部
58    位置決めピン
61    ワイヤ
65    レバーとしてのストッパ解除レバー
69    ストッパとしてのストッパピン
74    軸部
77    拡大部
84    位置決め部材としての位置決め金具
85    第２位置決め手段としての周方向位置決め手段
87    切欠部
88    位置決め嵌合孔
89    第１位置決め手段としての上下方向位置決め手段
91    取付孔
92    ストッパ嵌合孔
93    支持手段
95    挿通孔部
96    抜け止め孔部
【図１】
2008218093.tif 000003
【図２】
2008218093.tif 000004
【図３】
2008218093.tif 000005
【図４】
2008218093.tif 000006
【図５】
2008218093.tif 000007
【図６】
2008218093.tif 000008
【図７】
2008218093.tif 000009
【図８】
2008218093.tif 000010
【図９】
2008218093.tif 000011
【図１０】
2008218093.tif 000012